(57)【要約】  約５重量％〜約２０重量％の界面活性剤系を含む液体洗剤であって、上記界面活性剤系が０．２０〜１．７５のアルコキシル化度を有するアニオン性界面活性剤を含み、前記洗剤は２０℃で約２５００ｍＰａ・ｓ〜約６０００ｍＰａ・ｓの注入粘度を有し、中剪断粘度の高剪断粘度に対する比が約２〜約１である、液体洗剤。【特許請求の範囲】
【請求項１】
液体洗剤であって、その約５重量％〜約２０重量％の界面活性剤系を含み、前記界面活性剤系が０．２０〜１．７５のアルコキシル化度を有するアルコキシル化アニオン性界面活性剤を含み、前記洗剤は２０℃で約２５００ｍＰａ・ｓ〜約６０００ｍＰａ・ｓの注入粘度を有し、中剪断粘度の高剪断粘度に対する比が約２〜約１である、液体洗剤。
【請求項２】
前記界面活性剤系が、その少なくとも５０重量％のアルコキシル化アニオン性界面活性剤を含む、請求項１に記載の洗剤。
【請求項３】
前記アルコキシル化アニオン性界面活性剤が、サルフェート界面活性剤、好ましくはアルキルエトキシサルフェートを含む、請求項１又は２に記載の洗剤。
【請求項４】
前記アルコキシル化アニオン性界面活性剤が、その少なくとも５０重量％のアルコキシル化アニオン性サルフェート界面活性剤を含む、請求項３に記載の洗剤。
【請求項５】
前記アルコキシル化アニオン性界面活性剤が、約０．３〜約１．６０、好ましくは約０．４〜約１．５、より一層好ましくは約０．４〜約１．０のアルコキシル化度を有する、請求項４に記載の洗剤。
【請求項６】
前記アルコキシル化アニオン性界面活性剤が、約５％〜約４０％の分枝のレベルを有する、請求項１〜５のいずれか一項に記載の洗剤。
【請求項７】
両性界面活性剤を更に含み、前記両性界面活性剤が好ましくはアミンオキシド界面活性剤を含む、請求項１〜６のいずれか一項に記載の洗剤。
【請求項８】
前記アルコキシル化アニオン性界面活性剤の両性界面活性剤に対する重量比が約１：１〜約８．５：１、好ましくは約２．５：１〜約４．５：１である、請求項７に記載の洗剤。
【請求項９】
前記界面活性剤系が非イオン性界面活性剤を含む、請求項１〜８のいずれか一項に記載の洗剤。
【請求項１０】
約３０００ｍＰａ・ｓ〜約５０００ｍＰａ・ｓの注入粘度を有する、請求項１〜９のいずれか一項に記載の洗剤。
【請求項１１】
低剪断粘度の高剪断粘度に対する比が約２〜約１である、請求項１〜１０のいずれか一項に記載の洗剤。
【請求項１２】
電解質、有機溶媒及びこれらの混合物からなる群から選択される粘度調整剤を含む、請求項１〜１１のいずれか一項に記載の洗剤。
【請求項１３】
前記電解質が塩化ナトリウムである、請求項１２に記載の洗剤。
【請求項１４】
外部構造剤を含まず、好ましくは前記外部構造剤が、非高分子ヒドロキシル含有物質、ミクロフィブリル化セルロースのような結晶性外部構造剤、並びにポリアクリレート、多糖類、多糖類誘導体及びこれらの混合物からなる群から選択される高分子構造剤のような非結晶性外部構造剤からなる群から選択される、請求項１〜１３のいずれか一項に記載の洗剤。
【請求項１５】
前記洗剤が食器手洗い用洗剤である、請求項１〜１４のいずれか一項に記載の洗剤。
【請求項１６】
請求項１〜１５のいずれか一項に記載の洗剤を使用する食器洗浄方法。
【発明の詳細な説明】
【技術分野】
【０００１】
本発明は洗剤の領域におけるものである。特に、本発明は、液体洗剤、より具体的には低レベルの界面活性剤及び固有のレオロジーを有する液体洗剤に関する。本発明の洗剤は、良好な洗浄性、高速溶解を提供し、好ましいレオロジー及び泡立ち特性を有し、ストレス条件下でも保存及び輸送時に安定である。
【背景技術】
【０００２】
洗剤配合者は、洗浄性、溶解、外観、安定性、環境特性、経済性、製造容易性等に関して、洗剤性能を改良しようと試み続けている。
【０００３】
一部の洗剤ユーザーにとって、濃厚な液体、即ち、粘稠な液体は、特にその液体が注入時にその濃厚さを維持する場合に、高品質であることを意味する。比較的高粘稠の液体は、希薄で弱い水様の製品と反対に、濃く、強力で、有効な製品の外観を洗剤に与える。しかし、別の意見が存在し、より濃厚な液体には溶解の問題が伴い、洗剤の性能に悪影響を及ぼす可能性がある。
【０００４】
洗剤ユーザーは、通常、高い泡立ちを洗浄性と関連づける。それ故、洗剤は、使用時に高く持続性のある泡立ちを必要とする。環境における洗剤の影響は、配合者が常に低減を目指している問題である。
【発明の概要】
【発明が解決しようとする課題】
【０００５】
本発明の目的は、良好な溶解及び泡立ち特性、魅力的なレオロジー、良好な環境特性、経済性、製造容易性を有し、保存時に安定な有効な洗浄洗剤を提供することである。
【課題を解決するための手段】
【０００６】
本発明の第１の態様によると、液体洗剤、好ましくは食器手洗い用洗剤が提供される。本発明の洗剤は、低レベルの界面活性剤を有し、良好な洗浄性を提供する。本発明の洗剤は、その約５重量％〜約２０重量％、好ましくは約８重量％〜約１８重量％の界面活性剤系を含む。この低レベルの界面活性剤系は、優れた環境特性に寄与する。界面活性剤系は、少なくとも約０．２、より好ましくは少なくとも０．３、特に少なくとも０．４のアルコキシル化度を有するアルコキシル化アニオン性界面活性剤を含む。アルコキシル化度は約１．７５未満であり、更にはアルコキシル化度は約０．３〜約１．６０であり、より一層好ましくは約０．４〜約１．５であり、特に約０．４〜約１．０である。より高いアルコキシル化度は更に、より優れた溶解性に寄与する。加えて、低温での洗剤の溶解性にも寄与する。
【０００７】
本発明の洗剤の静止時及び通常の流動条件下の粘度は、かなり一定である。本発明の液体洗剤は、上に示すような粘稠一貫性を有し、ユーザーは高品質が得られると思われる。
【０００８】
本発明の洗剤は、ＤＶ−ＩＩ＋Ｐｒｏ粘度計にスピンドル３１を用い、０．６ｒｐｍ、２０℃で測定したときに、約２５００ｍＰａ・ｓ〜約６０００ｍＰａ・ｓ、好ましくは約３０００ｍＰａ・ｓ〜約５０００ｍＰａ・ｓの注入粘度を有する。この注入粘度を有する洗剤は、ユーザーにとって非常に魅力的であると思われる。中剪断粘度の高剪断粘度に対する比は、好ましくは、約２〜約１、より好ましくは約１．５〜約１、より一層好ましくは約１．２５〜約１、最も好ましくは約１であり、これは、異なる剪断条件に晒されたとき、例えば高剪断条件での輸送及び取扱において、洗剤の粘度がかなり一定であることを意味する。好ましくは、低剪断粘度の高剪断粘度に対する比も約２〜約１、より好ましくは約１．５〜約１、より一層好ましくは約１．２５〜約１、最も好ましくは約１である。
【０００９】
本明細書で使用するとき、低剪断粘度とは、本明細書に記載の試験方法に従って、０．０１ｓ−１の剪断速度で測定した粘度を意味する。中剪断粘度とは、０．１ｓ−１の剪断速度で測定した粘度を意味する。高剪断粘度とは、１０ｓ−１の剪断速度で測定した粘度を意味する。
【００１０】
低、中、及び硬剪断粘度は、直径４０ｍｍ及び間隙サイズ５００μｍにて鋼板スピンドルを用いて、ＴＡ  ｉｎｓｔｒｕｍｅｎｔｓ社のＡＲ  Ｇ２レオメーターを使用して決定される。０．０１ｓ−１における低剪断粘度、０．１ｓ−１における中剪断粘度、及び１０ｓ−１における高剪断粘度は、２０℃で対数剪断速度掃引から得ることができる。手順は、予調整工程、０．０１ｓ−１でのピークホールド工程、及び０．０１ｓ−１から１００ｓ−１までの流量増加工程の３つの工程からなる。予調整工程は、１０ｓ−１で３０秒（３０ｓー１）にわたる予備剪断からなる。０．０１ｓ−１でのピークホールド工程がその後すぐに行われ、サンプル点を１０秒毎に取得する。８つの連続したサンプル点の粘度が許容誤差２％以内のとき、この工程は平衡に達する。すぐに流量増加工程が続き、この工程は、定常状態フローモードで０．０１から１００ｓ−１へ剪断速度を増大して試料を剪断し、対数目盛で１０当たり５点について、測定値を２％の許容誤差で２秒から最大２０秒間安定させる。上記の最後の工程の粘度対剪断速度の対数プロットを使用して、０．０１ｓ−１における低剪断粘度、０．１ｓ−１における中剪断粘度及び１０ｓ−１における高剪断粘度を決定する。
【００１１】
好ましくは、界面活性剤系は、その少なくとも５０重量％、より好ましくは少なくとも６０重量％、特に少なくとも７０重量％の、アルコキシル化アニオン性界面活性剤を含む。界面活性剤系がその少なくとも５０重量％のアルコキシル化アニオン性界面活性剤を含む洗剤は、非常に良好な洗浄性及び泡立ちを提供する。好ましくは、アルコキシル化アニオン性界面活性剤は、サルフェート界面活性剤、好ましくはアルキルサルフェート、アルキルアルコキシサルフェート、及びこれらの混合物からなる群から選択されるサルフェート界面活性剤を含む。より好ましくは、アルコキシル化イオン性界面活性剤は、アルキルエトキシサルフェートを含む。アルキルサルフェートとアルキルアルコキシサルフェート、特にアルキルエトキシサルフェートとの混合物を含む洗剤は、非常に良好な洗浄性及び泡立ちを、特に食器手洗い用洗剤として使用したときに提供する。
【００１２】
好ましくは、アルコキシル化アニオン性界面活性剤は、その少なくとも５０重量％、より好ましくは少なくとも６０重量％、特に少なくとも７０重量％の、サルフェート界面活性剤を含む。これも、良好な洗浄性及び泡立ちに寄与する。
【００１３】
好ましくは、アルコキシル化アニオン性界面活性剤は、約５％〜約４０％、より好ましくは約１０％〜約３５％、より好ましくは約２０％〜約３０％の分枝率を有する分枝状アニオン性界面活性剤である。この分枝率も、より優れた溶解性及び泡立ち持続に寄与する。加えて、低温での洗剤の安定性にも寄与する。
【００１４】
好ましくは、本発明の洗剤は、両性界面活性剤を含む。より好ましくは、アルコキシル化アニオン性界面活性剤と両性界面活性剤とは、約１：１〜約８．５：１の重量比で存在する。この比を有する洗剤は、良好な溶解及び泡立ち性能を示し、約１．５：１〜約５：１の比で更に高速の溶解及び泡生成を達成し、比が約２．５：１〜約４．５：１のときには一層高速である。高速溶解は、高速の泡発生及び洗浄性強化を可能にすることから重要な機能であり、特に、水を張った流しに洗剤を分与するのでなく、洗剤がスポンジ上に直接分与され水道水で流される食器手洗い用洗剤の場合には重要である。
【００１５】
好ましくは、両性界面活性剤はアミンオキシド界面活性剤を含む。洗浄性及び環境特性の点で特に好ましいのは、アルコキシル化アニオン性界面活性剤がアルキルサルフェートとアルキルエトキシサルフェートとの混合物を含み、両性界面活性剤がアミンオキシド界面活性剤を含む洗剤である。より好ましくは、アミンオキシドはアルキルジメチルアミンオキシドである。
【００１６】
好ましくは、本発明の洗剤は、非イオン性界面活性剤を含む。
【００１７】
本発明の液体洗剤は、好ましくは水性、即ち、主溶媒が水である。洗剤は、その約６０〜約９５重量％の水を含む。界面活性剤系は「内部構造剤」として作用する。「内部構造剤」とは、その界面活性剤系が溶媒のレオロジーを変更し、特許請求するレオロジー特性を有する本発明の洗剤を生じることを意味する。本発明の目的で、「内部構造剤」は、洗剤のレオロジーを変化させることができるが、活性洗剤の役割を有する、洗剤組成物である。例えば、界面活性剤系は、その主要な役割が洗浄性を提供することであり、同時に洗剤に特異なレオロジー特性を付与することから、「内部構造剤」とみなされるであろう。
【００１８】
洗剤の粘度は、粘度調整剤を使用することによって調節できる。粘度調整剤は、好ましくは、電解質、有機溶媒、及びこれらの混合物からなる群から選択される。本明細書に用いるのに好ましい電解質は、塩化ナトリウムである。
【００１９】
本発明の洗剤は、好ましくは外部構造剤を含まず、これは経済性及び製造容易性に寄与する。本明細書において「外部構造剤」は、その主要機能として液体マトリックスのレオロジー変化を提供する機能を有し、中粘度の高粘度に対する比が２を超える洗剤を与える物質を意味する。一般的に、外部構造剤は、それ自体、いかなる有意な洗浄性も提供しない。それゆえに、外部構造剤は、マトリックスレオロジーを変化させる場合もあるがいくつかの追加的主要目的のために液体製品に組み込まれてきた内部構造剤とは異なる。したがって、例えば、内部構造剤は、液体洗剤のレオロジー特性を変える働きをすることができるが、主に洗浄成分として作用するために製品に添加されている界面活性剤系である。
【００２０】
本発明の別の態様によると、本発明の洗剤を使用して食器を手洗いする方法が提供される。
【発明を実施するための形態】
【００２１】
本発明は、アルコキシル化アニオン性界面活性剤を含む界面活性剤系を含む液体洗剤を想定する。本発明の液体洗剤は、静止時及び注入条件下で粘稠な製品である。
【００２２】
液体洗剤
液体洗剤は、食器手洗い用、重質洗濯、硬質表面洗浄等に好適である。好ましくは液体洗剤は食器手洗い用洗剤である。本発明の洗剤は、典型的には、６０重量％〜９５重量％、好ましくは６５重量％〜９０重量％、より好ましくは７０重量％〜８５重量％の液体キャリアを含有し、このキャリアには他の必須成分及び任意組成分が溶解、分散、又は懸濁されている。液体キャリアの１つの好ましい構成成分は水である。
【００２３】
好ましくは、洗剤のｐＨは、３〜１４、より好ましくは４〜１３、より好ましくは６〜１２、最も好ましくは８〜１０に調節される。洗剤のｐＨは、当該技術分野において既知のｐＨ調整成分を使用して調節することができる。
【００２４】
界面活性剤系
本発明の洗剤は、約５重量％〜約２０重量％、好ましくは約８重量％〜約１８重量％の界面活性剤系を含む。上記界面活性剤系は、アルコキシル化アニオン性界面活性剤を含む。上記系は、両性界面活性剤、非イオン性界面活性剤、カチオン性界面活性剤及びこれらの混合物を任意追加的に含むことができる。
【００２５】
本明細書に用いるのに好適な界面活性剤としては、アニオン性、両性、非イオン性、カチオン性及びこれらの混合物が挙げられる。
【００２６】
アニオン性界面活性剤
本発明の洗剤のアルコキシル化アニオン性界面活性剤は、従来のアニオン性界面活性剤のアルコキシル化によって得ることができる。アニオン性界面活性剤としては、限定するものではないが、一般的に８〜２２個の炭素原子又は一般的に８〜１８個の炭素原子をその分子構造内に含有する有機疎水基と、水溶性化合物を形成するための、好ましくはスルホネート、サルフェート、及びカルボキシレートから選択される少なくとも１つの水溶性基と、を含有するものが挙げられる。通常、疎水基はＣ８〜Ｃ２２アルキル、又はアシル基を含むであろう。かかる界面活性剤は、水溶性塩の形態で用いられ、塩形成カチオンは通常、ナトリウム、カリウム、アンモニウム、マグネシウム、及びモノ−、ジ−又はトリ−Ｃ２〜Ｃ３アルカノールアンモニウムから選択され、通常はナトリウムカチオンが選択される。
【００２７】
アルコキシル化アニオン性界面活性剤は、単一の界面活性剤であることができるが、通常はアニオン性界面活性剤の混合物である。
【００２８】
好ましくは、アルコキシル化アニオン性界面活性剤は、サルフェート界面活性剤、より好ましくはアルキルサルフェート、アルキルアルコキシサルフェート、及びこれらの混合物からなる群から選択されるサルフェート界面活性剤を含む。本明細書に用いるのに好ましいアルキルアルコキシサルフェートは、アルキルエトキシサルフェートである。
【００２９】
アニオン性界面活性剤はアルコキシル化されており、より好ましくは、アルコキシル化アニオン性界面活性剤は、約０．２〜約１．７５、より一層好ましくは約０．３〜約１．６０、より一層好ましくは約０．４〜約１．５０、特に約０．４〜約１．０のアルコキシル化度を有する。好ましくは、アルコキシ基はエトキシである。アニオン性界面活性剤が界面活性剤の混合物である場合、アルコキシル化度は、混合物の全構成成分のアルコキシル化度の重量平均（重量平均アルコキシル化度）である。重量平均アルコキシル化度の計算には、アルコキシル化された基を有さないアニオン性界面活性剤構成成分の重量も含める必要がある。
【００３０】
重量平均アルコキシル化度＝（ｘ１*界面活性剤１のアルコキシル化度＋ｘ２*界面活性剤２のアルコキシル化度．．．）／（ｘ１＋ｘ２＋．．．）
式中、ｘ１、ｘ２、．．．は、混合物中の各アニオン性界面活性剤のグラム単位の重量であり、アルコキシル化度は、各アニオン性界面活性剤中のアルコキシ基の数である。
【００３１】
好ましくは、本発明の洗剤に使用されるアニオン性界面活性剤は、約５％〜約４０％、好ましくは約１０％〜約３５％、より好ましくは約２０％〜約３０％の分枝率を有する分枝状アニオン性界面活性剤である。好ましくは、分枝基はアルキルである。典型的には、上記アルキルは、メチル、エチル、プロピル、ブチル、ペンチル、環状アルキル基及びこれらの混合物から選択される。本発明の洗剤に使用するアニオン性界面活性剤の製造に使用する出発物質のアルコールのヒドロカルビル主鎖には、単一又は複数のアルキル分枝が存在し得る。最も好ましくは、分枝状アニオン性界面活性剤は、アルキルサルフェート、アルキルエトキシサルフェート、及びこれらの混合物から選択される。
【００３２】
分枝状アニオン性界面活性剤は、単一のアニオン性界面活性剤又はアニオン性界面活性剤の混合物であることができる。単一の界面活性剤の場合、分枝のパーセンテージは、界面活性剤が誘導される前の最初のアルコールにおいて分枝しているヒドロカルビル鎖の重量パーセントを指す。
【００３３】
界面活性剤混合物の場合、分枝の割合は重量平均であり、次式により定義される：
分枝の重量平均（％）＝［（ｘ１*アルコール１中の分枝アルコール１の重量％＋ｘ２*アルコール２中の分枝アルコール２の重量％＋．．．）／（ｘ１＋ｘ２＋．．．）］*１００
式中、ｘ１、ｘ２、．．．は、本発明の洗剤用のアニオン性界面活性剤の出発物質として使用されるアルコールの全アルコール混合物中の各アルコールのグラム単位の重量である。重量平均分枝度の計算には、分枝基を有さないアニオン性界面活性剤構成成分の重量も含める必要がある。
【００３４】
好ましくは、界面活性剤系は、界面活性剤系の少なくとも５０重量％、より好ましくは少なくとも６０重量％、好ましくは少なくとも７０重量％のアルコキシル化アニオン性界面活性剤を含み、より好ましくは、アニオン性界面活性剤は、約０．２〜約１．７０のエトキシル化度及び好ましくは約５％〜約４０％の分枝率を有するアルキルエトキシル化サルフェートを、その５０重量％を超える量で含む。
【００３５】
サルフェート界面活性剤
本明細書に用いるのに好適なサルフェート界面活性剤としては、Ｃ８〜Ｃ１８アルキル若しくはヒドロキシアルキル、サルフェート、及び／又はエーテルサルフェートの水溶性塩が挙げられる。好適な対イオンとしては、アルカリ金属カチオン、又はアンモニウム若しくは置換アンモニウムが挙げられるが、好ましくはナトリウムである。
【００３６】
サルフェート界面活性剤は、Ｃ８〜Ｃ１８一級、分枝鎖及びランダムアルキルサルフェート（ＡＳ）；Ｃ８〜Ｃ１８二級（２，３）アルキルサルフェート；Ｃ８〜Ｃ１８アルキルアルコキシサルフェート（ＡＥｘＳ）（好ましくはｘは１〜３０であり、アルコキシ基はエトキシ、プロポキシ、ブトキシ又は更なる高級アルコキシ基及びそれらの混合物から選択できる）から選択されてもよい。
【００３７】
アルキルサルフェート及びアルキルアルコキシサルフェートは、様々な鎖長、エトキシル化度及び分枝度で市販され、当該技術分野において既知であり、限定するものではないが、Ｎｅｏｄｏｌアルコール（Ｓｈｅｌｌ  ｃｏｍｐａｎｙ）、Ｌｉａｌ−Ｉｓａｌｃｈｅｍ及びＳａｆｏｌ（Ｓａｓｏｌ  ｃｏｍｐａｎｙ）、天然アルコール（Ｐｒｏｃｔｅｒ  ＆  Ｇａｍｂｌｅ  Ｃｈｅｍｉｃａｌｓ  ｃｏｍｐａｎｙ）をベースとするものが挙げられる。
【００３８】
好ましくは、アルコキシル化アニオン性界面活性剤は、アニオン性界面活性剤の少なくとも５０重量％、より好ましくは少なくとも６０重量％、特に少なくとも７０重量％のサルフェート界面活性剤を含む。洗浄性の観点から特に好ましい洗剤は、アルコキシル化アニオン性界面活性剤がその５０重量％超、より好ましくは少なくとも６０重量％、特に少なくとも７０重量％のサルフェート界面活性剤を含み、このサルフェート界面活性剤がアルキルサルフェート、アルキルエトキシサルフェート及びこれらの混合物からなる群から選択される洗剤である。より一層好ましいのは、アルコキシル化アニオン性界面活性剤が約０．２〜約１．７５、より好ましくは約０．３〜約１．６、より一層好ましくは約０．４〜約１．５、特に約０．４〜約１のエトキシル化度を有するものであり、より一層好ましくはアルコキシル化アニオン性界面活性剤が約５％〜約４０％、より好ましくは約１０％〜３５％、最も好ましくは約２０％〜約３０％の分枝率を有する場合である。
【００３９】
スルホネート界面活性剤
本明細書で用いるのに好適なスルホネート界面活性剤としては、Ｃ８〜Ｃ１８アルキル若しくはヒドロキシアルキルスルホネート；Ｃ１１〜Ｃ１８アルキルベンゼンスルホネート（ＬＡＳ）、国際公開第９９／０５２４３号、同第９９／０５２４２号、同第９９／０５２４４号、同第９９／０５０８２号、同第９９／０５０８４号、同第９９／０５２４１号、同第９９／０７６５６号、同第００／２３５４９号、及び同第００／２３５４８号に記載の変性アルキルベンゼンスルホネート（ＭＬＡＳ）；メチルエステルスルホネート（ＭＥＳ）；及びα−オレフィンスルホネート（ＡＯＳ）の水溶性の塩が挙げられる。これらのスルホネート系界面活性剤としてはまた、モノスルホネート及び／又はジスルホネートであってよいパラフィンスルホネートが挙げられ、これらは１０〜２０個の炭素原子を有するパラフィンのスルホン化により得られる。スルホネート界面活性剤としてはまた、アルキルグリセリルスルホネート界面活性剤が挙げられる。
【００４０】
両性界面活性剤
好適な両性界面活性剤としては、アミンオキシド及びベタインが挙げられる。本明細書での使用に特に好ましいのは、アミンオキシドである。好ましくは、界面活性剤系は、界面活性剤系の１重量％を超え５０重量％未満の両性界面活性剤を含む。
【００４１】
好ましいアミンオキシドは、アルキルジメチルアミンオキシド又はアルキルアミドプロピルジメチルアミンオキシド、より好ましくはアルキルジメチルアミンオキシド、特にココジメチルアミンオキシドである。アミンオキシドは、直鎖又は中分枝状アルキル部分を有し得る。典型的な直鎖アミンオキシドとしては、Ｃ８〜１８アルキル部分である１つのＲ１と、Ｃ１〜３アルキル基及びＣ１〜３ヒドロキシアルキル基からなる群から選択される２つのＲ２及びＲ３部分と、を含有する水溶性アミンオキシドが挙げられる。好ましくは、アミンオキシドは、式Ｒ１−Ｎ（Ｒ２）（Ｒ３）Ｏ（式中、Ｒ１はＣ８〜１８アルキルであり、Ｒ２及びＲ３はメチル、エチル、プロピル、イソプロピル、２−ヒドロキシエチル、２−ヒドロキシプロピル、及び３−ヒドロキシプロピルからなる群から選択される）により特徴づけられる。直鎖アミンオキシド系界面活性剤としては、具体的には、直鎖Ｃ１０〜Ｃ１８アルキルジメチルアミンオキシド、及び直鎖Ｃ８〜Ｃ１２アルコキシエチルジヒドロキシエチルアミンオキシドが挙げられる。好ましいアミンオキシドとしては、直鎖Ｃ１０、直鎖Ｃ１０〜Ｃ１２、及び直鎖Ｃ１２〜Ｃ１４アルキルジメチルアミンオキシドが挙げられる。本明細書で使用するとき、「中分枝状」とは、アミンオキシドが、ｎ１個の炭素原子を有する１つのアルキル部分を有し、このアルキル部分上の１つのアルキル分枝がｎ２個の炭素原子を有することを意味する。アルキル分枝は、アルキル部分の窒素のα炭素に位置する。アミンオキシドのこの種の分枝は、当該技術分野において内部アミンオキシドとしても知られている。ｎ１とｎ２の合計は、１０〜２４個の炭素原子、好ましくは１２〜２０個、より好ましくは１０〜１６個である。１つのアルキル部分の炭素原子の数（ｎ１）は、１つのアルキル部分と１つのアルキル分枝とが対称になるように、１つのアルキル分枝（ｎ２）とほぼ同じ炭素原子数であるべきである。本明細書で使用するとき、「対称」とは、本明細書で使用される中分枝状アミンオキシドの少なくとも５０重量％、より好ましくは少なくとも７５重量％〜１００重量％で、｜ｎ１−ｎ２｜が５個以下、好ましくは４個、最も好ましくは０〜４個の炭素原子であることを意味する。
【００４２】
アミンオキシドは、Ｃ１〜３アルキル、Ｃ１〜３ヒドロキシアルキル基、又は平均で約１〜約３個のエチレンオキシド基を含有するポリエチレンオキシド基から独立に選択される２つの部分を更に含む。好ましくは、上記の２つの部分は、Ｃ１〜３アルキルから選択され、より好ましくは、両方がＣ１アルキルとして選択される。
【００４３】
他の好適な界面活性剤としては、アルキルベタイン、アルキルアミドベタイン、アミドアゾリニウムベタイン、スルホベタイン（ＩＮＣＩスルタイン）並びにホスホベタイン等のベタインが挙げられ、好ましくは次の式Ｉに合致する。
Ｒ１−［ＣＯ−Ｘ（ＣＨ２）ｎ］ｘ−Ｎ＋（Ｒ２）（Ｒ３）−（ＣＨ２）ｍ−［ＣＨ（ＯＨ）−ＣＨ２］ｙ−Ｙ−（Ｉ）式中
Ｒ１は飽和又は不飽和Ｃ６〜２２アルキル残基であり、好ましくはＣ８〜１８アルキル残基、特に飽和Ｃ１０〜１６アルキル残基であり、例えば飽和Ｃ１２〜１４アルキル残基であり；
ＸはＮＨ、Ｃ１〜４アルキル残基Ｒ４を有するＮＲ４、Ｏ、又はＳであり、
ｎは１〜１０の数であり、好ましくは２〜５、特に３であり、
ｘは０又は１であり、好ましくは１であり、
Ｒ２、Ｒ３は、独立に、ヒドロキシエチル、好ましくはメチル等のヒドロキシ置換される可能性のあるＣ１〜４アルキル残基であり、
ｍは１〜４の数であり、特に１、２又は３であり、
ｙは０又は１であり、
ＹはＣＯＯ、ＳＯ３、ＯＰＯ（ＯＲ５）Ｏ又はＰ（Ｏ）（ＯＲ５）Ｏであり、式中Ｒ５は水素原子Ｈ又はＣ１〜４アルキル残基である。
【００４４】
好ましいベタインは式（Ｉａ）のアルキルベタイン、式（Ｉｂ）のアルキルアミドベタイン、式（Ｉｃ）のスルホベタイン及び式（Ｉｄ）のアミドスルホベタインであり；
Ｒ１−Ｎ＋（ＣＨ３）２−ＣＨ２ＣＯＯ−                              （Ｉａ）
Ｒ１−ＣＯ−ＮＨ（ＣＨ２）３−Ｎ＋（ＣＨ３）２−ＣＨ２ＣＯＯ−      （Ｉｂ）
Ｒ１−Ｎ＋（ＣＨ３）２−ＣＨ２ＣＨ（ＯＨ）ＣＨ２ＳＯ３−            （Ｉｃ）
Ｒ１−ＣＯ−ＮＨ−（ＣＨ２）３−Ｎ＋（ＣＨ３）２−ＣＨ２ＣＨ（ＯＨ）ＣＨ２ＳＯ３−（Ｉｄ）式中、Ｒ１１は式Ｉの場合と同じ意味である。特に好ましいベタインは、カルボベタイン［式中、Ｙ−＝ＣＯＯ−］であり、特に式（Ｉａ）及び式（Ｉｂ）のカルボベタイン、より好ましくは、式（Ｉｂ）のアルキルアミドベタインである。
【００４５】
好適なベタイン及びスルホベタインの例は以下のものである［ＩＮＣＩに従って表記している］：アーモンドアミドプロピルベタイン、アプリコットアミドプロピルベタイン、アボカドアミドプロピルベタイン、ババスアミドプロピルベタイン、ベヘナミドプロピルベタイン、ベヘニルベタイン、ベタイン、キャノーラアミドプロピルベタイン、カプリル／カプラミドプロピルベタイン、カルニチン、セチルベタイン、コカミドエチルベタイン、コカミドプロピルベタイン、コカミドプロピルヒドロキシスルタイン、ココベタイン、ココヒドロキシスルタイン、ココ／オレアミドプロピルベタイン、ココスルタイン、デシルベタイン、ジヒドロキシエチルオレイルグリシネート、ジヒドロキシエチル大豆グリシネート、ジヒドロキシエチルステアリルグリシネート、ジヒドロキシエチルタローグリシネート、ＰＧ−ベタインのプロピルジメチコーン、エルカミドプロピルヒドロキシスルタイン、水素添加タローベタイン、イソステアラミドプロピルベタイン、ラウラミドプロピルベタイン、ラウリルベタイン、ラウリルヒドロキシスルタイン、ラウリルスルタイン、ミルクアミドプロピルベタイン、ミンクアミドプロピルベタイン、ミリスタミドプロピルベタイン、ミリスチルベタイン、オレアミドプロピルベタイン、オレアミドプロピルヒドロキシスルタイン、オレイルベタイン、オリーブアミドプロピルベタイン、ヤシアミドプロピルベタイン、パルミチン酸アミドプロピルベタイン、パルミトイルカルニチン、ヤシ仁アミドプロピルベタイン、ポリテトラフルオロエチレンアセトキシプロピルベタイン、リシノール酸アミドプロピルベタイン、セサミドプロピルベタイン、ソイアミドプロピルベタイン、ステアラミドプロピルベタイン、ステアリルベタイン、タローアミドプロピルベタイン、タローアミドプロピルヒドロキシスルタイン、タローベタイン、タロージヒドロキシエチルベタイン、ウンデシレンアミドプロピルベタイン、及び小麦胚芽アミドプロピルベタイン。
【００４６】
好ましくは、ベタインはココアミドプロピルベタイン、特にココアミドプロピルベタインである。
【００４７】
非イオン性界面活性剤
本発明の洗剤の界面活性剤系は、任意追加的に、非イオン性界面活性剤、好ましくはアルコキシル化アルコールを含む。非イオン性界面活性剤は、存在する場合、界面活性剤系の０．１重量％〜１０重量％、好ましくは０．２重量％〜５重量％、最も好ましくは０．５重量％〜３重量％の典型量で含まれる。好適な非イオン性界面活性剤としては、脂肪族アルコールと１〜２５モルのエチレンオキシドとの縮合生成物が挙げられる。脂肪族アルコールのアルキル鎖は、直鎖又は分枝状の、一級又は二級のいずれかのアルキル鎖とすることができ、一般的には、８〜２２個の炭素原子を含有する。特に好ましいものは、１０〜１８個の炭素原子、好ましくは１０〜１５個の炭素原子を有するアルキル基を有するアルコールと、アルコール１モルあたり２〜１８モル、好ましくは２〜１５モル、より好ましくは５〜１２モルのエチレンオキシドとの縮合生成物である。
【００４８】
式Ｒ2Ｏ（ＣnＨ2nＯ）t（グリコシル）x（式（ＩＩＩ））を有するアルキルポリグリコシドも好適であり、ここで、式（ＩＩＩ）のＲ2は、アルキル、アルキルフェニル、ヒドロキシアルキル、ヒドロキシアルキルフェニル、及びこれらの混合物からなる群から選択され、アルキル基は、１０〜１８個、好ましくは１２〜１４個の炭素原子を含有し、式（ＩＩＩ）のｎは、２又は３、好ましくは２であり、式（ＩＩＩ）のｔは、０〜１０、好ましくは０であり、式（ＩＩＩ）のｘは、１．３〜１０、好ましくは１．３〜３、最も好ましくは１．３〜２．７である。グリコシルは、好ましくはグルコースから誘導される。同様に好適なのは、アルキルグリセロールエステル及びソルビタンエステルである。
【００４９】
式（ＩＶ）を有する脂肪酸アミド界面活性剤もまた好適である。
【００５０】
【化１】
2016503833.tif 000002
ここで、式（ＩＶ）のＲ6は、７〜２１個、好ましくは９〜１７個の炭素原子を含有するアルキル基であり、式（ＩＶ）の各Ｒ7は、水素、Ｃ1〜Ｃ4アルキル、Ｃ1〜Ｃ4ヒドロキシアルキル、及び−（Ｃ2Ｈ4Ｏ）xＨからなる群から選択され、ここで式（ＩＶ）のｘは、１から３まで変化する。好ましいアミドは、Ｃ8〜Ｃ20アンモニアアミド、モノエタノールアミド、ジエタノールアミド、及びイソプロパノールアミドである。
【００５１】
カチオン性界面活性剤
カチオン性界面活性剤は、液体洗剤中に存在する場合、有効量で、より好ましくは液体洗剤組成物の０．０１重量％〜１０重量％、より好ましくは０．０５重量％〜５重量％、最も好ましくは０．１重量％〜３重量％で存在する。好適なカチオン性界面活性剤としては、第四級アンモニウム界面活性剤が挙げられる。好適な第四級アンモニウム界面活性剤は、モノＣ6〜Ｃ16、好ましくはＣ6〜Ｃ10Ｎ−アルキル又はアルケニルアンモニウム界面活性剤からなる群から選択され、残りのＮ位はメチル、ヒドロキシエチル（hydroxyehthyl）、又はヒドロキシプロピル基によって置換される。他の好ましいカチオン性界面活性剤としては、アルキルベンザルコニウムハライド及びその誘導体、例えば、Ｌｏｎｚａ社より商標名ＢＡＲＱＵＡＴ及びＢＡＲＤＡＣで入手可能なものが挙げられる。別の好ましいカチオン性界面活性剤は、第四級クロリンエステルのような、第四級アンモニウムアルコールのＣ6〜Ｃ18アルキル又はアルケニルエステルである。より好ましくは、カチオン性界面活性剤は、式（Ｖ）を有する：
【００５２】
【化２】
2016503833.tif 000003
式中、式（Ｖ）のＲ１は、Ｃ8〜Ｃ18ヒドロカルビル及びこれらの混合物、好ましくはＣ8〜14アルキル、より好ましくはＣ8、Ｃ10又はＣ12アルキルであり、式（Ｖ）のＸは、アニオン、好ましくは塩化物又は臭化物イオンである。
【００５３】
粘度調整剤
本発明の洗剤は、任意追加的に粘度調整剤を含むことができる。粘度調整剤の目的は、界面活性剤と組み合わせて所望の粘度を達成することである。洗剤中の界面活性剤系のレベルが低いと、所望よりも低粘度又は高粘度の製品が得られることがあり、粘度は、粘度調整剤を使用することによって増大又は低下させることができる。
【００５４】
好ましくは、粘度調整剤は、電解質、有機溶媒、及びこれらの混合物からなる群から選択される。本発明による洗剤は、好ましくは少なくとも１つの電解質を含む。
【００５５】
電解質は、水溶性の有機及び無機塩（界面活性剤以外）であり、そのカチオンはアルカリ金属、アルカリ土類金属、アンモニウム及びこれらの混合物から選択され、アニオンは塩化物イオン、サルフェート、ホスフェート、アセテート、ニトレート及びこれらの混合物から選択される。特に有用なのは、塩化カリウム、ナトリウム及びアンモニウムである。
【００５６】
電解質の量は、洗剤の粘度を変更するのに十分な量とすべきである。本発明の洗剤における電解質の有用な量は、洗剤の０．１重量％〜１０重量％、より好ましくは０．１５重量％〜５重量％、より一層好ましくは０．２重量％〜３重量％、特に０．２５重量％〜２重量％である。
【００５７】
好ましくは電解質に加えて、粘度調整剤として添加すべき有用な有機溶媒は、１〜３個のヒドロキシル基を有するＣ１〜Ｃ５アルキルアルコールであり、上記溶媒の濃度は、粘度目標を達成するように選択される。他の好適な有機溶媒としては、Ｃ４〜１４エーテル及びジエーテル、グリコール及び高分子グリコール、例えば、ポリエチレングリコール及びポリプロピレングリコール、アルコキシル化グリコール、Ｃ６〜Ｃ１６グリコールエーテル、アルコキシル化芳香族アルコール、芳香族アルコール、脂肪族分枝状アルコール、アルコキシル化脂肪族分枝状アルコール、アルコキシル化直鎖Ｃ１〜Ｃ５アルコール、アミン、Ｃ８〜Ｃ１４アルキル及びシクロアルキル炭化水素及びハロ炭化水素、並びにこれらの混合物が挙げられる。ヒドロトロープも本明細書で有機溶媒として用いるのに好適であり、例として、アニオン型のヒドロトロープ、特にキシレンスルホン酸ナトリウム、キシレンスルホン酸カリウム、キシレンスルホン酸アンモニウム、トルエンスルホン酸ナトリウム、トルエンスルホン酸カリウム、トルエンスルホン酸アンモニウム、クメンスルホン酸ナトリウム、クメンスルホン酸カリウム、クメンスルホン酸アンモニウム、及びこれらの混合物が挙げられる。好ましい溶媒は、エタノール、（ポリ）プロピレングリコール及び／又はクメン、トルエン又はキシレンスルホネートヒドロトロープ、最も好ましくはエタノール、プロピレングリコール、ポリプロピレングリコール、及びこれらの混合物であり、好ましくはそれぞれ洗剤の１重量％〜７重量％の量である。界面活性剤系の量の粘度調整剤に対する重量比は、好ましくは３〜２０である。
【００５８】
外部構造剤
好ましくは、本発明の洗剤は外部構造剤を含まない。本明細書で「含まない」とは、洗剤がその０．０１重量％未満、より好ましくは０．００１重量％未満の外部構造剤を含むことを意味する。外部構造剤としては、ミクロフィブリル化セルロース、一般的に結晶性のヒドロキシル含有脂肪酸、脂肪エステル及び脂肪ワックスとして特徴づけられる非高分子のヒドロキシル含有物質、例えば、ヒマシ油及びヒマシ油誘導体、が挙げられる。外部構造剤としては、ポリカルボキシレート、ポリアクリレート、疎水変性エトキシル化ウレタン、アルカリ可溶性エマルション、疎水変性アルカリ可溶性エマルション、疎水変性非イオン性ポリオール、架橋ポリビニルピロリドン、多糖類及び多糖類誘導体型のような、天然由来及び／又は合成の高分子構造剤も挙げられる。通常は構造剤として使用される多糖類誘導体は、ポリマーゴム材料類を含んでなる。そのようなゴムとしては、ペクチン、アルギネート、アラビノガラクタン（アラビアゴム）、カラギーナン、ジェランガム、キサンタンガム及びグアーガムが挙げられる。その他の部類の外部構造剤としては、構造化粘土、アミドゲル化剤及び脂肪族エステル、例えば、ミリスチン酸イソプロピルイソプロピル、パルミチン酸イソプロピル、及びイソステアリン酸イソプロピルが挙げられる。
【００５９】
より好ましくは、洗剤は、例えば、非高分子ヒドロキシル含有物質、ミクロフィブリル化セルロースのような結晶性外部構造剤、並びにポリアクリレート、多糖類、多糖類誘導体及びこれらの混合物からなる群から選択される高分子構造剤のような非結晶性外部構造剤を含まない。
【００６０】
任意追加の洗剤成分
本明細書の洗剤は、研磨剤、キレート剤、コンディショニングポリマー、洗浄用ポリマー、表面改質ポリマー、汚れ凝集ポリマー、皮膚軟化剤、保湿剤、肌若返り活性物質、酵素、カルボン酸、スクラブ用粒子、漂白剤及び漂白活性化剤、香料、悪臭制御剤、顔料、染料、乳白剤、ビーズ、真珠光沢粒子、マイクロカプセル、有機及び無機カチオン（例えば、Ｃａ／Ｍｇイオン等のアルカリ土類金属及びジアミン）、泡抑制剤／泡安定剤／泡増量剤、抗菌剤、防腐剤並びにｐＨ調整剤及び緩衝化手段等の多くの他の任意成分を含むことができる。
【００６１】
使用方法
本発明の洗剤は、食器手洗い用洗剤としての使用に特に好適である。その溶解特性から、本発明の洗剤は、未希釈形態で又は濃縮プレ溶液として、スポンジに直接出して食器洗浄に使用するのに非常に適している。その泡立ち特性から、本発明の洗剤は、流しに水を満たして食器洗浄に使用する場合にも極めて有利である。
【００６２】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示された寸法は、「約４０ｍｍ」を意味することを意図する。
【実施例】
【００６３】
以下の単純化した洗剤を、活性原料を単に混合することによって配合した。４０００ｍＰａ・ｓの注入粘度を有する本発明の範囲内の洗剤を表１に示す。２０００ｍＰａ・ｓの注入粘度を有する本発明の範囲外の洗剤（参照）を表２に示す。各物質の濃度は、１００％活性重量を基準として与えられる。洗剤は、その１５重量％の界面活性剤系を含有する。界面活性剤系は、アルキルエトキシルサルフェートとアミノオキシド（amino oxide）界面活性剤とを含む。エトキシル化度（ＥＯ）の異なるアルキルエトキシル化サルフェートを試験した。注入粘度は、Ｂｒｏｏｋｆｉｅｌｄ  ＤＶ−ＩＩ＋Ｐｒｏ粘度計（２０℃、スピンドル３１、ＲＰＭ：約４０００ｍＰａ・ｓについては０．６−ＲＰＭ：約２０００ｍＰａ・ｓについては１０）を用いて測定した。中剪断粘度及び高剪断粘度は、本明細書に記載の試験方法に従って測定した。
【００６４】
【表１】
2016503833.tif 000004
・ＡＥＳ：アルキルエトキシサルフェート−ＡＥＳ分枝率＝２５％、Ｌｉａｌ  １２３Ａ（Ｓａｓｏｌ）、Ｎａｔｕｒａｌ  ＡＥ３（ＰＧＣ）、Ｓｈｅｌｌ  Ａ（Ｓｈｅｌｌ）及びＮａｔｕｒａｌ  Ａ（ＰＧＣ）アルコールをベースとするアルキルサルフェートとアルキルエトキシサルフェートとを混合することによって調製される。
・ＡＯ：Ｃ１２〜１４ジメチルアミンオキシド
【００６５】
それぞれの洗剤の溶解特性を、以下のプロトコルに従って測定した：
・３種類の参照洗剤（表２）と３種類の本発明による洗剤（表１）の相対的溶解速度を相互比較するために、動的溶解試験を実施する。この方法は、固定試験条件下で、導電率モニタリングを用いて、溶解特性を経時的に測定することができる。
・４０００ｍｌの脱塩水を、２０℃（＝／−０．５℃）で、５０００ｍｌのガラスビーカー（直径約１８ｃｍ、高さ約２５．５ｃｍ）に加え、オーバーヘッドミキサー（ＩＫＡ  Ｌａｂｏｒｔｅｃｈｎｉｋ−ｉｋａａ２６８４７００、Ｍｅｒｃｋカタログ２００２参照）で、４ブレードミキサー（ＩＫＡ  Ｌａｂｏｒｔｅｃｈｎｉｋ：直径＝１０ｃｍ、ブレード傾斜角度＝４５°）を用いて、９０ＲＰＭ（±１）で作動したときの設定撹拌にて混合する。ミキサーを、撹拌溶液の中央部で、深さ５ｃｍに設定する。導電率プローブ（ＴｅｔｒａＣｏｎ  ３２５（ＷＴＷ））を、ガラスビーカーの側壁から１ｃｍの場所で、洗浄溶液中深さ４ｃｍに設定する。
・本発明による洗剤又は参照洗剤５ｍｌを、ビーカーの底に静かに加える。オーバーヘッドスターラー及び導電率測定を、洗剤添加直後に開始する。
・導電率は５秒毎に測定し、導電率測定値が少なくとも２０秒間一定を保ったら実験を停止する。記録する溶解時間は、最終導電率値の７０％に到達した時点の秒数である。
・実験は３回繰り返し、平均値を報告する。消費者調査により、非構造化液体の許容可能な溶解限度は１５０秒であることが証明されている。
【００６６】
それぞれの洗剤の溶解データを下にまとめる。製品粘度が増大すると、溶解特性はより難しい課題となり、エトキシル化界面活性剤が消費者の許容閾値に合格する低いエトキシル化度（０．１９）を有する場合に特に困難となることがわかる。
【００６７】
【表２】
2016503833.tif 000005
【００６８】
低温に晒されたときの物理的安定性を評価するため、洗剤を０℃でも保管した。破損率（％Ｆ）は、結晶化体積分率の全体積分率に対する割合と定義され、目視で推定される。表から、エトキシル化度が低い方が、低温物理安定性に多くの応力を受けることがわかる。
【００６９】
【表３】
2016503833.tif 000006
【国際調査報告】
2016503833.tif 000007
2016503833.tif 000008